(57)【要約】【課題】筋力が低下した利用者が使用できるスリッパを提供する。【解決手段】先端に半円部２２を有する底部２０と、この底部２０に取付けられ足の甲を覆う甲部とからなるスリッパ１０において、底部２０の下面は、滑り難い材料からなる表底２１で構成され、半円部２２に、表底２１より滑りやすい材料からなるピース２５が取付けられている。【効果】底部の爪先部に滑りやすいピースが取付けられている。上体が前に出るが、足が上がらない場合、爪先部に対して踵部が上がり、爪先部に取付けたピースが床に接し、その他の表底は床から離れる。ピースは滑りやすいため、スリッパは前に滑る。結果、前のめることが回避される。【選択図】図２
0003219574.tif 000002
【実用新案登録請求の範囲】
【請求項１】
先端に半円部を有する底部と、この底部に取付けられ足の甲を覆う甲部とからなるスリッパにおいて、
前記底部の下面は、床に対して滑り難い材料からなる表底で構成され、
前記半円部に、前記表底に被せるようにして前記表底より滑りやすい材料からなるピースが取付けられていることを特徴とするスリッパ。
【請求項２】
請求項１記載のスリッパであって、
前記ピースは、前記表底に、ミシン糸で取付けられていることを特徴とするスリッパ。
【請求項３】
請求項１又は請求項２記載のスリッパであって、
前記ピースは、前記半円部より一回り小さな半円片であることを特徴とするスリッパ。
【請求項４】
請求項１〜３のいずれか１項記載のスリッパであって、
前記表底に、前記床との摩擦係数を高める網模様が形成されていることを特徴とするスリッパ。
【請求項５】
請求項４記載のスリッパであって、
前記表底に、前記網模様より深く且つ前記網模様の網目寸法より縦寸法及び横寸法が大きな凹部が、前記網模様に加えて多数個形成されていることを特徴とするスリッパ。
【請求項６】
請求項１〜５のいずれか１項記載のスリッパであって、
前記底部の上面の後端に、前記足の踵を囲うヒールバックが付設されていることを特徴とするスリッパ。
【考案の詳細な説明】
【技術分野】
【０００１】
本考案は、室内で履くスリッパに関する。
【背景技術】
【０００２】
我国では、玄関で靴を脱ぎ、スリッパに履き替え、このスリッパで居室内を歩行するという習慣がある。
洋室の床は、フローリング（木質床材）貼りとされる。畳に比較してフローリングは平滑で滑りやすいため、スリッパに滑り止めを施すことが提案されてきた（例えば、特許文献１参照）。
【０００３】
特許文献１に開示されるスリッパは、底部がフェルトで構成される。フェルトはクッション性に富むが、床に対して滑りやすいという欠点を有する。対策として、底部の爪先部に円形の滑り止め生地を付設し、底部の踵部に円形の滑り止め生地を付設する。
【０００４】
特許文献１に開示されるスリッパには、滑り対策が講じられているという利点を有するものの、次に述べる問題点を有する。
人は歩行の際に、左右一方の足を前に振り上げて下ろす。加齢などで筋力が低下すると、上げたつもりの爪先が、床から殆ど上がっていないことが起こりうる。このときの様子を図８に基づいて説明する。
【０００５】
図８（ａ）に示すように、右足１０１を残して、左足１０２を上げたつもりで前に出す。
図８（ｂ）に示すように、左足１０２を上げたつもりであるため、上体１０３が前にでる。このときに、スリッパ１０４は滑り対策が講じられているため、左足１０２は残ったままとなる。結果、前のめりになる。
【０００６】
また、特許文献１に開示されるスリッパは、次に述べる問題点をも有する。
履き物には、男ものと女ものに２種がある。男ものにはＳサイズ、Ｍサイズ、Ｌサイズがあり、女ものにもＳサイズ、Ｍサイズ、Ｌサイズがある。
【０００７】
図９（特許文献１第２図を引用した図）に、従来の「男ものＬサイズ」のスリッパ１０５の底部１０６を示す。底部１０６はフェルト１０７で全体的に構成され、爪先部に円形の滑り止め生地１０８が嵌め込まれ、踵部に滑り止め生地１０８一回り小さい円形の滑り止め生地１０９が嵌め込まれている。
【０００８】
家人が多い場合で、急いでいるときに、足のサイズが小さな、子供や女子がスリッパ１０５を借用することがある。想像線で示す足裏１１１のサイズは、例えば「女もののＳサイズ」である。
【０００９】
図９に想像線で示すように、小サイズの足裏１１１が底部１０６に載せられる。足裏１１１が小さいため、踵１１２が踵部の滑り止め生地１０９から外れる。すると、滑り止め生地１０８と滑り止め生地１０９との間のフェルト１０７が、図面表裏方向に撓み、床に当たる。フェルト１０７は摩擦係数が小さいため、底部１０６が床に対して滑りやすくなる。
このように、特許文献１のスリッパは、スリッパのサイズと利用者の足のサイズがアンマッチのときには、使用に適していない。
【００１０】
すなわち、家人が複数の場合（特に大家族の場合）、急用で手近のスリッパを借用することがあり、このようなときに、特許文献１のスリッパは適当ではなく、利便性に欠ける。
【００１１】
スリッパに利便性が強く求められる中、筋力が低下した利用者が使用でき、且つ足のサイズが異なっても使用できるスリッパが望まれる。
【先行技術文献】
【特許文献】
【００１２】
【特許文献１】特開平１−２９１８０１号公報
【考案の概要】
【考案が解決しようとする課題】
【００１３】
本考案は、筋力が低下した利用者が使用でき、且つ足のサイズが異なっても使用できるスリッパを提供することを課題とする。
【課題を解決するための手段】
【００１４】
請求項１に係る考案は、先端に半円部を有する底部と、この底部に取付けられ足の甲を覆う甲部とからなるスリッパにおいて、
前記底部の下面は、床に対して滑り難い材料からなる表底で構成され、
前記半円部に、前記表底に被せるようにして前記表底より滑りやすい材料からなるピースが取付けられていることを特徴とする。
【００１５】
請求項２に係る考案は、請求項１記載のスリッパであって、
前記ピースは、前記表底に、ミシン糸で取付けられていることを特徴とする。
【００１６】
請求項３に係る考案は、請求項１又は請求項２記載のスリッパであって、
前記ピースは、前記半円部より一回り小さな半円片であることを特徴とする。
【００１７】
請求項４に係る考案は、請求項１〜３のいずれか１項記載のスリッパであって、
前記表底に、前記床との摩擦係数を高める網模様が形成されていることを特徴とする。
【００１８】
請求項５に係る考案は、請求項４記載のスリッパであって、
前記表底に、前記網模様より深く且つ前記網模様の網目寸法より縦寸法及び横寸法が大きな凹部が、前記網模様に加えて多数個形成されていることを特徴とする。
【００１９】
請求項６に係る考案は、請求項１〜５のいずれか１項記載のスリッパであって、
前記底部の上面の後端に、前記足の踵を囲うヒールバックが付設されていることを特徴とする。
【考案の効果】
【００２０】
請求項１に係る考案では、底部の下面は、全体的に、床に対して滑り難い材料からなる表底で構成されているため、大きなサイズのスリッパに小さな足を載せても、十分な滑り止め作用が得られる。
【００２１】
また、底部の爪先部に滑りやすいピースが取付けられている。上体が前に出るが、足が上がらない場合、爪先部に対して踵部が上がり、爪先部に取付けたピースが床に接し、その他の表底は床から離れる。ピースは滑りやすいため、スリッパは前に滑る。結果、前のめることが回避される。
よって、請求項１によれば、筋力が低下した利用者が使用でき、且つ足のサイズが異なっても使用できるスリッパが提供される。
【００２２】
請求項２に係る考案ではピースは、表底に、ミシン糸で取付けられている。
ピースは接着剤で表底に貼ってもよいが、強い外力を受けると剥がれる。この点、ミシン糸は、弾性変形するため、強い外力に耐久性を有し、ピースの剥がれを防止する。
【００２３】
請求項３に係る考案では、ピースは、半円部より一回り小さな半円片であることを特徴とする。
ピースは、半円部と同寸法でもよいが、同寸法であると、ピースの縁が横から見えることがあり、見栄えの点で好ましくない。
この点、ピースが半円部より一回り小さければ、ピースの縁が横から見える心配はなく、見栄えがよくなる。
【００２４】
請求項４に係る考案では、表底に、網模様が形成されているため、床に対する滑り止め性を高めることができる。
【００２５】
請求項５に係る考案では、表底に、深い凹部が、網模様に加えて多数個形成されているので、網模様が摩滅した場合でも多数の凹部で滑り止めを図ることができる。
【００２６】
請求項６に係る考案では、底部の上面の後端に、足の踵を囲うヒールバックが付設されている。ヒールバックにより、足の踵が底部から離れ難くなる。上体が前に出たときに、表底は確実に床から離れる。結果、滑るやすいピースだけが床に接するようになり、ピースが滑ってスリッパが確実に前にでる。
【図面の簡単な説明】
【００２７】
【図１】本考案に係るスリッパの側面図である。
【図２】図１の２矢視図（底面図）である。
【図３】図２の要部拡大図及び断面図である。
【図４】スリッパの作用説明図である。
【図５】ヒールバック付きスリッパの側面図である。
【図６】図５の６矢視図（底面図）である。である。
【図７】ヒールバック付きスリッパの作用図である。
【図８】従来のスリッパの問題点を説明する図である。
【図９】従来のスリッパの問題点を説明する図である。
【考案を実施するための形態】
【００２８】
本考案の実施の形態を添付図に基づいて以下に説明する。
【実施例】
【００２９】
図１に示すように、スリッパ１０は、床１１に接する底部２０と、この底部２０に取付けられた甲部３０とからなる室内履きである。
底部２０の下面に位置する表底２１は、ゴムもしくはＥＶＡ（エチレン・酢酸ビニル共重合樹脂）又はこれに類する材料で構成される。
すなわち、表底２１は、床１１に対して滑り難い材料で構成される。
【００３０】
表底２１の詳しい構造を、図２に基づいて説明する。
図２に示すように、底部２０は、先端に半円部２２を有する。半円は、略半円、ほぼ半円を含み、通常のスリッパの爪先部の形状であればよい。
表底２１は、滑り難い材料で構成されている上に、表底２１に、細かい目の網模様２３が全面的に形成され、加えて、例えばＡＢＣＤＥのような英文字状の凹部２４が形成されている。
【００３１】
さらに加えて、網模様２３及び凹部２４を覆うようにして、半円部２２にピース２５がミシン糸２６で取付けられている。
ピース２５は、表底２１より滑りやすい材料からなる。滑りやすい材料として、樹脂皮（例えば塩化ビニル）、樹脂糸の織布、人工皮革が採用できる。ピース２５の厚さは、０．１〜１．０ｍｍであればよい。
【００３２】
好ましくは、ピース２５は、半円部２２より一回り小さな半円片２７とする。小さくすると、スリッパ１０を上から見たときに、ピース２５が見えなくなり、スリッパ１０の外観性が向上する。
【００３３】
ピース２５は、半円部２２へ接着剤で貼ってもよいが、強い外力を受けると剥がれる。この点、ミシン糸２６は、伸縮性に富み、弾性変形するため、強い外力に耐久性を有し、ピース２５が剥がれ難くなる。
【００３４】
また、ピース２５は、見えにくい場所に取付けられている。
ピース２５を半円部２２へ接着剤のみで貼った場合で、且つ、接着剤が劣化してピース２５が剥がれた場合、不具合の発見が遅れる。
ミシン糸２６であれば、糸が部分的に切れても、暫くはピース２５の脱落は起こらない。よって、接着よりはミシン糸２６の方が好ましい。
接着剤とミシン糸２６を併用することは、差し支えない。
【００３５】
図２の３ａ部を図３（ａ）で示し、図２の３ｃ部を図３（ｃ）で示す。
図３（ａ）に示すように、網模様２３は、方形格子網である。網は、菱形網、亀甲網であってもよい。なお、網目寸法は、１ｍｍ程度が好ましい。
図３（ａ）のｂ−ｂ線断面図である図３（ｂ）に示すように、網模様２３の深さｄ１は、０．１〜０．３ｍｍの範囲が好ましい。
【００３６】
図３（ｃ）に示すように、英文字状の凹部２４の深さｄ２は、深さｄ１より深くする。深さｄ２は０．５〜１．０ｍｍの範囲が好ましい。
長期間の使用によって、表底２１が摩耗し、網模様２３が消えても、凹部２４が残るため、床１１に対する滑り難さは維持される。
【００３７】
なお、英文字状の凹部２４の縦寸法及び横寸法は、網模様２３の網目寸法より大きくする。大きくすることにより、凹部２４の溝幅を大きくすることができる。凹部２４の溝幅は、１〜３ｍｍが好適である。溝幅を大きくすることにより、グリップ性能を高めることができる。
網模様２３の網目寸法が１ｍｍであれば、凹部２４の縦寸法及び横寸法は５〜１０ｍｍとする。
【００３８】
図２において、表底２１は、床１１に対して滑り難い材料で構成されるため、網模様２３や凹部２４がなくても、十分な摩擦性能を発揮するため、網模様２３や凹部２４は必須ではない。
しかし、網模様２３を加えることにより、摩擦性能を高めることができる。その上に、凹部２４を加えることにより、摩耗後の摩擦性能を維持することができる。
【００３９】
図４（ａ）に示すように、人の歩行動作に伴って、スリッパ１０は、踵部１２が床１１から上がる。結果、スリッパ１０の先端、すなわち爪先部１３が床１１に接する。
本考案では、爪先部１３に、比較的滑りやすいピース２５が取付けられているため、このピース２５が床１１に当たる。ピース２５により、スリッパ１０は水平方向に移動しやすくなる。
【００４０】
図４（ｂ）に示すように、右足１５を残し、左足１６が上げられる。筋力の低下などにより、左足１６が殆ど上がらず、踵部１２は上がるが、爪先部１３は床１１に着いたままとなる。
左足１６を上げたつもりであるため、上体１７が前にでる。このときに、スリッパ１０は、図４（ａ）に示すピース２５が床１１上を滑る。
図４（ｃ）に示すように、左足１６が前進する。結果、前のめりになることが防止される。
【００４１】
なお、図２に示すように、ピース２５は、滑り難い表底２１で囲まれている。ピース２５が床１１に当たったときに、ピース２５の厚さだけ、周囲の表底２１が床１１から浮くため、ピース２５が床１１に当たっても、このピース２５の周囲の表底２１は、床１１に当たらない。ピース２５が半円部２２より一回り小さいにも拘わらず、滑り性能が維持される。
【００４２】
次に、本考案に係る変更例を、説明する。
図５に示すように、スリッパ１０Ｂは、底部２０と、甲部３０と、ヒールバック３２とからなる。
図６に示すように、底部２０は先端に半円部２２を有し、この半円部２２にピース２５がミシン糸２６で取付けられている。表底２１に、網模様２３及び凹部２４が形成されている。
【００４３】
図７（ａ）に、ヒールバックが無いスリッパ１０を示す。ヒールバックがないため、足の踵が上がるときに、スリッパ１０の踵部１２が床１１から、あまり上がらないことがある。上がらないと、爪先部１３が、十分に床１１に当たらない。
対して、ヒールバック３２が付いていると、図７（ｂ）に示すように、足の踵が上がるときに、スリッパ１０Ｂの踵部１２が床１１から十分に上がり、爪先部１３が十分に床１１に当たる。
【００４４】
よって、本考案は、ヒールバック３２が付いてスリッパ１０Ｂにより適している。勿論、本考案を、ヒールバックが無いスリッパ１０に適用することは差し支えないが、
【００４５】
尚、実施例ではスリッパ１０、１０Ｂの表底２１に、英文字状の凹部２４を付したが、この凹部２４は、アラビヤ数字、その他の絵文字でも差し支えない。
ただし、英文字であれば、製造者の名称、製造者が登録している標章を表すことができる。英文字とアラビア数字を組み合わせることで、スリッパ１０、１０Ｂの品番やモデル名称を付すことができる。
【産業上の利用可能性】
【００４６】
本考案は、室内で履くスリッパに好適である。
【符号の説明】
【００４７】
１０…スリッパ、１０Ｂ…ヒールバック付きスリッパ、１１…床、２０…底部、２１…表底、２２…半円部、２３…網模様、２４…凹部、２５…ピース、２６…ミシン糸、２７…半円片、３０…甲部、３２…ヒールバック、ｄ１…網模様の深さ、ｄ２…凹部の深さ。
【図１】
0003219574.tif 000003
【図２】
0003219574.tif 000004
【図３】
0003219574.tif 000005
【図４】
0003219574.tif 000006
【図５】
0003219574.tif 000007
【図６】
0003219574.tif 000008
【図７】
0003219574.tif 000009
【図８】
0003219574.tif 000010
【図９】
0003219574.tif 000011